Podtech/llm-jp-corpus-v4-ja_patent huggingface dataset:
(57)【要約】【課題】洗濯しても色落ちしたり、移染したりすることがなく、昇華転写又はインクジェット印刷によって形成された染料層の密着性に優れた捺染木綿布を提供すること。【解決手段】木綿生地１の表面に特殊変性ポリマーを付与したアクリルエマルジョン又はウレタンエマルジョンを付着させて下地層２を形成し、この下地層２の表面に染料を昇華転写又はインクジェット印刷して染料層３を形成し、さらに、染料層３の表面に撥水層４を形成した。【選択図】図１
2005299008.tif 000002
【特許請求の範囲】
【請求項１】
木綿生地の表面に特殊変性ポリマーを付与したアクリルエマルジョン又はウレタンエマルジョンを付着させて形成した下地層と、この下地層の表面に染料を昇華転写又はインクジェット印刷して形成した染料層とを有する捺染木綿布。
【請求項２】
前記下地層の質量が、木綿生地１００質量％に対して５０〜１００質量％である請求項１に記載の捺染木綿布。
【請求項３】
前記染料層の表面に撥水層を形成した請求項１又は２に記載の捺染木綿布。
【発明の詳細な説明】
【技術分野】
【０００１】
本発明は、木綿生地の表面に昇華転写又はインクジェット印刷を施した捺染木綿布に関する。
【背景技術】
【０００２】
昇華転写は、熱を加えると昇華する昇華性染料をインクジェットプリンタによって転写紙に印刷し、その転写紙と布地等を重ねて加熱、加圧することにより、転写紙上の昇華性染料を布地等に転写する染色方法であり、この昇華転写には、高画質の写真画像、グラデーション等のオリジナルの画像を高画質のまま印刷可能であり、また、製版が不要でコストが安くなるといった利点がある。また、インクジェット印刷にも同様の利点がある。
【０００３】
ただし、昇華転写を木綿生地に適用する場合、木綿生地には昇華性染料によって染着されにくい性質があるため、従来は、例えば特許文献１、２に記載されているように、昇華性染料に対して染着性を有する樹脂（アクリル樹脂、ウレタン樹脂等）を木綿生地の表面に塗布して下地層を形成した後に、昇華転写を施すようにしていた。
【０００４】
このような下地層を形成することにより、昇華転写の困難な木綿生地に対して比較的容易に捺染処理を行うことができる。
【０００５】
しかし、従来の下地層は、木綿生地との相性が十分でなく、洗濯時に色落ちしたり、移染したりするという問題があり、実用品としては満足できるものではなかった。また、インクジェット印刷を適用した場合にも同様の問題点があった。
【特許文献１】特開平７−３６６８号公報
【特許文献２】特開平８−６０５６５号公報
【発明の開示】
【発明が解決しようとする課題】
【０００６】
本発明が解決しようとする課題は、洗濯しても色落ちしたり、移染したりすることがなく、昇華転写又はインクジェット印刷によって形成された染料層の密着性に優れた捺染木綿布を提供することにある。
【課題を解決するための手段】
【０００７】
本発明の昇華転写捺染木綿布は、木綿生地の表面に特殊変性ポリマーを付与したアクリルエマルジョン又はウレタンエマルジョンを付着させて下地層を形成し、この下地層の表面に染料を昇華転写又はインクジェット印刷して染料層を形成したものである。
【０００８】
下地層の質量は、木綿生地１００質量％に対して５０〜１００質量％の範囲とすることが好ましい。下地層の質量が木綿生地１００質量％に対して１００質量％を超えると、木綿生地のもつ風合いが失われ、５０質量％未満になると、均一な昇華転写が困難になることがある。
【０００９】
また、染料層の表面にはさらに撥水層を形成することもできる。
【発明の効果】
【００１０】
本発明によれば、木綿生地の表面に特殊変性ポリマーを付与したアクリルエマルジョン又はウレタンエマルジョンを付着させて下地層を形成したので、その表面に昇華転写又はインクジェット印刷によって形成した染料層の密着性が向上し、洗濯しても色落ちしたり、移染したりすることがなくなる。
【００１１】
また、染料層の表面に撥水層を形成することにより、耐水性が向上し、日光堅牢度も向上する。
【発明を実施するための最良の形態】
【００１２】
以下、図面に示す実施例に基づき本発明の実施の形態を説明する。
【００１３】
図１は、本発明に係る捺染木綿布の一実施例を示す断面図である。同図において、木綿生地１の表面には下地層２が形成され、この下地層２の表面に染料層３が形成され、さらに、染料層３の表面に撥水層４が形成されている。
【００１４】
木綿生地１としては、天竺木綿、カツラギ、シャークスキン、Ｇポプリン、帆布等、各種の木綿布地を使用できる。
【００１５】
下地層２は、特殊変性ポリマーを付与したアクリルエマルジョン又はウレタンエマルジョンからなる下地剤を木綿生地１に付着・乾燥させて形成したものであり、染料層３は、下地層２の表面に分散性の昇華性染料を昇華転写して形成したものである。また、撥水層４は、昇華転写層３の表面にフッ素系樹脂等の撥水剤を付着・乾燥させて形成したものである。
【００１６】
以下、本発明に係る捺染木綿布の製造方法について説明する。
【００１７】
まず、木綿生地１に、上記の下地剤を塗布、噴霧、浸漬等の手段により付着させ、常温で風乾燥処理を行って下地層２を形成する。下地層２は、その質量が木綿生地１の質量の５０〜１００％となるように形成する。
【００１８】
一方、昇華性染料をインクジェットプリンタによって転写紙に印刷して所望の模様を形成する。そして、その転写紙と木綿生地１の下地層２側とを重ねて１８０℃、１分間、０．４ＭＰａの条件で加熱、加圧することにより、転写紙上の昇華性染料を木綿生地１側に昇華転写して染料層３を形成する。染料層３は、インクジェット印刷により下地層２上に直接形成してよい。インクジェット印刷によれば濃色の染料層３を得ることができる。
【００１９】
最後に、染料層３上に上記の撥水剤を塗布、噴霧等の手段により付着させ乾燥処理を行うことにより、撥水層４を形成する。
【００２０】
図２は、本発明に係る捺染木綿布の他の実施例を示す断面図である。図２では、下地層２、染料層３及び撥水層４を木綿生地１の両面に形成している。下地層２は、浸漬（パディング）により木綿生地１の両面に形成される。染料層３及び撥水層４は、図１の実施例と同様の方法により形成される。
【産業上の利用可能性】
【００２１】
本発明は、模様が施される、あらゆる木綿布地の製品に適用可能であり、とくに、フルカラーや多色、ぼかし等の模様が施される木綿製の法被や暖簾に好適に適用可能である。
【図面の簡単な説明】
【００２２】
【図１】本発明に係る捺染木綿布の一実施例を示す断面図である。
【図２】本発明に係る捺染木綿布の他の実施例を示す断面図である。
【符号の説明】
【００２３】
１  木綿生地
２  下地層
３  染料層
４  撥水層
【図１】
2005299008.tif 000003
【図２】
2005299008.tif 000004
(57)【要約】【課題】  塗装作業に用いる器具であって，飛散した塗料などが眼に入るのを充分に防ぐことができ，しかも廉価に生産でき，使い捨て可能な塗装作業用バイザーを提供する。【解決手段】  両眼を覆うのに充分な横幅と縦幅を有する透明なプラスチックの薄板から成るバイザー本体と，その両端部に取り付けられた支持具とにより廉価な使い捨てのできる塗装作業用バイザーである。【選択図】  図１
2005299051.tif 000002
【特許請求の範囲】
【請求項１】
両眼を覆うのに充分な横幅と縦幅を有する透明な薄板から成るバイザー本体１とバイザー本体１の両端部に取り付けられた支持具とから成る塗装作業用バイザー。
【請求項２】
バイザー本体１は厚さ０．１ｍｍから０．２ｍｍ程度のポリエステルの方形の薄板である請求項１の塗装作業用バイザー。
【請求項３】
支持具がゴムひもでありバイザー本体の両端部の上部に取り付けられている請求項１記載の塗装作業用バイザー。
【発明の詳細な説明】
【技術分野】
【０００１】
この発明は塗装作業用のバイザーであって，作業中塗料などが眼に入るのを防ぐためのもので，きわめて廉価であり，使い捨てが可能な製品を提供できるものである。
【背景技術】
【０００２】
塗装作業，特に吹き付け塗装においては飛散した塗料などが付着するのを防ぐためマスクを付け，頭部や肩などは布でカバーして作業を行なっている。眼に塗料などが入ると痛みを伴うため，それを防ぐための器具は不可欠であり，現在では通常の眼鏡のほかゴーグルを用いることもあるが，通常の眼鏡では塗料などの侵入を防ぐのに充分でなく，ゴーグルでは体温などにより内側が曇るおそれがあり好適ではない。また，眼鏡，ゴーグルは反覆使用するため，付着した汚れを落とすという作業を要する。
【発明の開示】
【発明が解決しようとする課題】
【０００３】
この発明は上記の汚れを落とす作業を不要とし，しかも飛散した塗料などから充分に眼を守ることができる器具を得ることを目的とするもので，きわめて廉価に生産でき，使い捨てのできる塗装作業用バイザーを提供するものである。
【課題を解決するための手段】
【０００４】
請求項１の発明は，両眼を覆うのに充分な横幅と縦幅を有する透明なプラスチックの薄板から成るバイザー本体と，そのバイザー本体の両端部に取り付けられた支持具とから成る塗装作業用バイザーにより前記課題を解決するものである。  
【０００５】
請求項２の発明は，バイザー本体を厚さ０．１ｍｍから０．２ｍｍ程度のポリエステルの薄板で構成し，その形状を方形としたものであり，請求項３の発明は，支持具をゴムひもであり，バイザー本体の両端部上部に取り付けられているもので，これらにより前記課題を解決するものである。
【発明の効果】
【０００６】
この発明の塗装作業用バイザーは，上記のようにバイザー本体は透明なプラスチックの薄板であり，その両端部に支持具が取り付けられるのみの構造であるので，きわめて廉価であり，塗料などが付着した場合は使い捨てとすることができ，汚れを除く作業が不要となると共に，両眼をバイザー本体が充分に覆っているので，飛散した塗料などが眼に入るのを防止することができ，しかも軽量であるなど多くの利点を有するものである。
【発明を実施するための最良の形態】
【０００７】
図１はこの発明の正面図であり，図２は使用状態を示したもので，１はバイザー本体，２は支持具である。バイザー本体１は透明なポリエステルフィルムで，厚みは０．１ｍｍから０．２ｍｍ程度であり，可撓性を有する薄板である。このバイザー本体１の大きさ，形状は特に限定されないが，両眼を覆うに充分な横幅，縦幅を有し，その上辺は額に沿って曲げられる形状であることが好ましい。  
【０００８】
支持具２はこの実施例ではゴムひもであり，バイザー本体１の両端上部に固定されており，図２に示すように頭に掛けてバイザー本体１の上辺が額に沿うように支持するものである。ゴムひもなどの支持具２とバイザー本体１の結合は，この実施例ではホッチキスで止め，その上下面にシールを貼って固定する方法が採用されているが，これに限らず，工業用ミシンで縫い付けても良く，また，バイザー本体の両端部上部に孔をあけて，その中に挿通して結束しても良い。
【図面の簡単な説明】
【０００９】
【図１】正面図
【図２】使用状態を示す図
【図１】
2005299051.tif 000003
【図２】
2005299051.tif 000004
(57)【要約】【目的】  ワイシャツ等の裾がズボン内側からずり上がらないように防止するクリップを提供する。【構成】  ワイシャツのずり上がり防止をする為にワイシャツとズボンの縦ラインと横ラインをクリップ出来るようにＬ形の狭着用開閉フラップ及びＬ形の上下歯金具から成るクリップ。【選択図】    図１
2005299057.tif 000002
【特許請求の範囲】
【請求項１】
Ｌ形の狭着用開閉フラップ金物（１），Ｌ形の狭着用上歯金具（２），Ｌ形の狭着用下歯金具（３）から構成されたクリップで，ワイシャツ等の縦ラインとズボン等の上部の横のラインのクロスした部分を同時に挟み込むことの出来るワイシャツずり上がり防止クリップ。
【請求項２】
ワイシャツのズリ上がりを防止する為にズボン、スカート等とワイシャツ、ワンピース等とをクリップで挟み込む。又下半身アンダーウェア等とワイシャツ等をクリップで挟み込んでワイシャツのずり上がり防止とした使用方法。
【請求項３】
ワイシャツ、ワンピース等の脇の下ラインの継ぎ目にクリップ嵌脱口を施したワイシャツ、ワンピース等。当て布により嵌脱口を作る為にデザインされたワイシャツ等。クリップを取り付け易いようにヒダを付けたワイシャツ。このようにクリップを取り付ける為に加工されたワイシャツ、ワンピース等。
【発明の詳細な説明】
【発明の詳細な説明】
【産業上の利用分野】
【０００１】本考案はズボン、スカートからワイシャツやブラウス等の裾が摺り上がりの防止に関するものである。
【背景技術】
【０００２】ワイシャツ、ブラウス等の裾を押さえるいぼ付きのゴム製ベルトがあります、ワイシャツ等を着た上からその裾をこのベルトでウェスト部に取り付け、ずり上がりを防止するベルト。
ズボンのベルト位置内側にすべり止めを縫い付けたずり上がり防止のズボン等。
【考案が解決するための課題】
【０００３】以上のずり上り防止が提供されているが一定の効果はなすが一寸した背伸び、捻転等の動きでワイシャツがずり上がる、ずり上がったら滑り止めが逆効果に働きワイシャツがずり上ったままで基に戻らないその繰り返しでますますズリ上がり醜い服装になる。
【考案が解決するための手段】
【０００４】Ｌ形の狭着用開閉フラップ金物（１），Ｌ形の狭着用上歯金具（２），Ｌ形の狭着用下歯金具（３）から構成されたクリップで、ヒンジのついた狭着用上歯金具（２）のかぎ込み以外の部分を根元からのヒンジとする、これによりワイシャツ等の前立て部分縦ラインに横よりスライドできる、と同時にズボン等の上部横ラインとクロスした部分を同時に挟み込むことの出来るワイシャッずり上がり防止クリップ。又ワイシャツ等と下半身アンダーウエアもおなじ要領で狭着するこのようにクリップのみでずり上がりを防止できます。
【０００５】ワイシャツ、ワンピース等の脇の下ラインの継ぎ目にクリップ嵌脱口（イ）を施したワイシャツ、ワンピース等。当て布により嵌脱口（ロ）を作る為にデザインされたワイシャツ等。クリップを取り付け易いようにヒダ（ハ）を付けたワイシャツ。このようにクリップを取り付ける為に加工されたワイシャツ、ワンピース等。これらをワイシャツ等に加工を施す事により前立てだけのクリップだけでなくワイシャツを数箇所からクリップ出来きます，そのクリップがワイシャツのズリ上がりを防止します。
【作用】
【０００６】下半身アンダーウエア，ブリーフ等とワイシャツ，ワンピース等を本考案のクリップで連結します。背伸び，腰の捻り，悪い姿勢など体の動作によりワイシャツの引き上りがアンダーウェアーに作用します。
【０００７】ズボン、スカート等と。ワイシャツ、ワンピース等を本考案のクリップで連結します。背伸び、腰の捻り、悪い姿勢の動作などの体の動作によりワイシャツの引き上りがズボン，スカート等に作用します。
【実施例】
【０００８】実施例１
〔図１〕は実施例１を示す斜視図、〔図２〕は実施例１を示す側面図、【３】は実施例１を示す平面図である。実施例１は狭着用開閉フラップ金具（１）、狭着用上歯金具（２）、狭着用下歯金具（３）からなるＬ型クリップで〔図４〕に示すようにズボン等の横ラインとワイシャツ等の前立て縦ラインをクリップする本考案の実施例である。【０００９】実施例２
〔図６〕は実施例２を示すワイシャツの正面図である、ワイシャツ両脇下一部にスリットの嵌脱口（イ）を施す，アテ布のデザインを利用して嵌脱口（ロ）を取り付ける，ワイシャツにヒダ（ハ）を加工するこれらの嵌脱口に実施例１のクリップを取り付けることの出来るワイシャツ等の本考案実施例である。
【発明の効果】
【００１０】下半身アンダーウエア、ブリーフ等と。ワイシャツ、ワンピース等の前立て下部のボタン取り付け側をクリップします。背伸び、腰の捻り、悪い姿勢の動作によりワイシャツの引き上りがアンダーウエアに作用します、クリップされたアンダーウエアの部分はゴム系が使用されているので、多少の引っ張りにも柔軟性がありワイシャツ等のズリ上がり防止に効果を発揮します。
【００１１】中年になるとお腹が出てベルトを締める腰の位置が定まらず、すぐにズボン、スカート等がズリ落ちます。元の位置にズボンを引き上げる動作の繰り返しでワイシャツ等は外にはみ出し無様な格好になります。クリップされたズボン等には柔軟性が無くズボンが下がりかけると同時にワイシャツが引っ張られます、この引っ張りがズボンのずり落ちを体に感じさせます。基の位置に引き上げてもクリップされたワイシャツ等はズリ上がることなくこれを防止出来ます。
【００１２】ワイシャツ等にクリップ出来る嵌脱口を加工、取り付けにより両サイドよりのズリ上がり防止の効果がなお期待できます。
【図面の簡単な説明】
【図１】  実施例１を示す斜視図である。
【図２】  実施例１を示す両側面図である。
【図３】  実施例１を示す平面図である。（Ａ）はフラップ金具を開いた状態（Ｂ）はフラップ金具を閉じた状態
【図４】  実施例１を示す取り付け部分の姿図である。
【図５】  実施例１を示すクリップを締め付けた状態の姿図である。
【図６】  実施例２を示すワイシャツの正面姿図である。
【図７】  実施例２を示す、ワイシャツのヒダ（ハ）にクリップする取り付け方法の姿図である。（Ａ）はフラップ金具を開いた状態（Ｂ）はフラップ金具を閉じ締め付けた状態
【図８】  実施例２を示すワイシャツのスリット嵌脱口（イ）にクリップする取り付け方法の正面姿図である。（Ａ）はフラップ金具を開いた状態（Ｂ）はフラップ金具を閉じ締め付けた状態
【符号の説明】
（１）    狭着用開閉フラップ金具
（２）    狭着用上歯金具
（３）    狭着用下歯金具
（イ）    脇下スリット嵌脱口
（ロ）    当て布デザイン等を生かした嵌脱口
（ハ）    ヒダ
【図１】
2005299057.tif 000003
【図２】
2005299057.tif 000004
【図３】
2005299057.tif 000005
【図４】
2005299057.tif 000006
【図５】
2005299057.tif 000007
【図６】
2005299057.tif 000008
【図７】
2005299057.tif 000009
【図８】
2005299057.tif 000010
(57)【要約】      （修正有）【課題】長ネクタイを締めるときに、締める部分（結び目）に要する長さが異なることを主たる原因として、締めた後の長ネクタイの長さのバランスがとれないことが度々発生するため、これらの条件の違いに関係なく、また締め方の種類に関係なく、さらには締める人の経験度に関係なく、常に安定的に長さのバランスをとり好みの長さに締め易くすることが出来るようにした長ネクタイを提供する。【解決手段】長ネクタイの裏面の、締めたときに「表に出る幅広の部分」の先端から「その長ネクタイの締める部分（結び目）に要する長さを少し超える程度の長さ」の距離の位置に、目印となる「しるし」３−１，３−２を付けることにより、安定的に長さのバランスを取り好みの長さに締める様にした。【選択図】図１
2005299059.tif 000002
【特許請求の範囲】
【請求項１】
長ネクタイ（１）に付けた「しるし」で、長ネクタイ（１）の裏（２）に、締めるときの目印として付ける「しるし」（３）である。
【請求項２】
「しるし」（３）は、「表に出る幅広の部分（締めたときに表に出る部分で長ネクタイの幅の広い方の部分）」（４）の先端から「締める部分（結び目）に要する長さを少し超える程度の長さ」の距離の位置（５）に付ける。
【請求項３】
「しるし」（３）は、長ネクタイを締めるときに目印として利用出来るように、刷り込んだり、線状の布片等を縫い込んだり、糸でかがる等により、容易に識別できるように付ける。
【請求項３】
ウインザーノット等の結び方の種類別に複数付ける（６）場合は、これを判別できるように「しるし」（３）をつける。
【発明の詳細な説明】
【発明の詳細な説明】
【技術分野】
【０００１】  この発明は、長ネクタイを締める際に、締めた後のネクタイの「表に出る幅広の部分」（４）と「後ろになる幅細の部分」の長さのバランスを、調整し易する為に長ネクタイに付ける「しるし」（３）に関するものである。
【背景技術】
【０００２】  従来、主として男子のビジネス用の服装としてワイシャツに長ネクタイを締め、スーツを着用することが一般化している。
このとき長ネクタイは、閉めた後のネクタイの「表に出る幅広の部分」と「後ろになる幅細の部分」の長さのバランスは、「表に出る幅広の部分」が「後ろになる幅細の部分」より少し長くなるようにするのが一般的である。
そのため、長ネクタイを首に掛けて「締める部分（結び目）に要する長さを少し超える程度の長さ」の分、「表に出る幅広の部分」を「後ろになる幅細の部分」より長くしてから締めることが行われており、この長さの見当は各自の経験により目分量で行われている。
【発明が解決しようとする課題】
【０００３】  しかし、長ネクタイの材質や厚さや締める部分のネクタイの幅などの条件の違いによって、締める部分（結び目）に要する長さが異なる為、締めた後、長さのバランスが思い通りにならないことが度々発生する。
また、締める方法には、プレーンノットやウインザーノット等の種類があり、これによっても締める部分（結び目）に要する長さが異なる為、長さをバランス良く、好みに合わせて締めるには、経験と試行錯誤を要することになる。
本発明は、以上の問題点を解決し、常に安定的に長ネクタイの長さのバランスをとり易くするものである。
【課題を解決する手段】
【０００４】  長ネクタイの「表に出る幅広の部分」（４）の先端から「その長ネクタイの締める部分（結び目）に要する長さを少し超える程度の長さ」の距離の位置（５）に予め「しるし」（３）を付ける。
長ネクタイを締める際に、この「しるし」（３）に「後ろになる幅細の部分」の先端を合わせてから締めることにより、締めた後の「表に出る幅広の部分」と「後ろになる幅細の部分」の長さのバランスを、常に安定的に良好に、とることができる。
この「しるし」（３）は、それぞれの長ネクタイの材質や厚さや締める部分のネクタイの幅などの条件の違いに応じて定まる「締める部分（結び目）に要する長さを少し超える程度の長さ」によって付けられるので、この「しるし」（３）に合わせて締めれば、これらの条件の違いに関係なく、また、経験に関係なく、長さのバランスの結果が出せる。
また、プレーンノットやウインザーノット等の締める方法の種類別に「しるし」（３）を付けることにより、締める方法を変えても、常に安定的に良好な結果を出せるようにすることができる。
【発明を実施するための最良の形態】
【０００５】（イ）長ネクタイ（１）の裏面（２）に「しるし」（３）を付ける。
（ロ）「しるし」（３）の位置は、  長ネクタイの「表に出る幅広の部分」（４）の先端から「その長ネクタイの締める部分（結び目）に要する長さを少し超える程度の長さ」の距離の位置（５）とする。
（ハ）プレーンノットやウインザーノット等の締める方法の種類別に「しるし」（３）を複数付ける（６）場合には、判別できるマークで「しるし」（３）を付けるとか、「しるし」（３）にマークを付けるとか、線の数を変えるとか、判別できるように「しるし」（３）を付ける。
（二）「しるし」（３）は、長ネクタイを締めるときに目印として利用出来るように、刷り込んだり、線状の布片等を縫い込んだり、糸でかがる等により、容易に識別できるように付ける。
【発明の効果】
【０００６】  本発明を使用することにより、長ネクタイの材質や厚さや締める部分のネクタイの幅などの条件の違いに関係なく、また、プレーンノットやウインザーノット等の締める方法の種類に関係なく、さらに、締める人の経験とか勘の良し悪しに関係なく、常に安定的に長さのバランスをとり、好みの長さに締め易くすることが出来る。
【図面の簡単な説明】
【図１】本発明の正面図
【符号の説明】
（１）長ネクタイ
（２）長ネクタイの裏
（３−１）「しるし」（プレーンノット用）
（３−２）「しるし」（ウィンザーノット用）
（４）「表に出る幅広の部分（締めたときに表に出る部分で長ネクタイの幅の広い方の部分）」
（５−１）この長ネクタイをプレーンノットで締めるときに、締める部分（結び目）に要する長さを少し超える程度の長さの距離
（５−２）この長ネクタイをウィンザーノットで締めるときに、締める部分（結び目）に要する長さを少し超える程度の長さの距離
【図１】
2005299059.tif 000003
(57)【要約】【課題】  災害時に身辺に無ければ用を成さない護身用防災用品を常時身近に携帯できる様にし、刻々と変わる災害状況も確認し易くして、更に有毒ガス等の吸引事故や衣服への引火事故を防止し、防寒機能等をヘルメットと共に携帯出来る様にする。【解決手段】  ヘルメットを折りたたみ式で携帯化する事で、持ち歩き易く身体の保護範囲を拡大し、ヘルメットを深かぶり型にして頭部の保護力を強化し、素材に強度と共に透明度の有る（例えばポリカーボネイト）素材を用いる事で災害時の状況変化を確認し易くして、防炎マスクと小型防毒マスク、ウエストまで有る防炎スーツにより、有毒ガス等の吸引事故や衣服への引火事故を防止し、更に防寒用になり救出率を上げた。【選択図】  図１
2005299064.tif 000002
【特許請求の範囲】
【請求項１】
ヘルメット（１）は深かぶり型の折りたたみ式で、透明な強度素材（例えば、ポリカーボネイト）をもちい、ワンタッチでヘルメットを広げる機能を持った頭部保護クッション（２）を装備し、ヘルメットを頭部に固定するベルト（３）、ヘルメットの下部（装着した祭に口元のあたり）に、小型防毒マスク（４）を装置し、ヘルメットの頭頂部の内側と頭部保護クッションの間から肩まで装備する防炎マスク（５）と、首元に煙・有毒ガスの進入を防ぐ為のフィットベルト（６）を装置した防災用携帯ヘルメット。
【請求項２】
防炎マスク（５）の裾に装備してウエストまで覆うように装着できる着脱式防炎スーツ（７）と、それらを止めるワンタッチベルト（８）を装備した請求項１記載の防災スーツ一体ヘルメット携帯用。
【発明の詳細な説明】
【発明の詳細な説明】
【技術分野】
【０００１】  本発明は、防災を目的とした携帯ヘルメット及びスーツに用いる製造方法に関する。
【背景技術】
【０００２】  従来の防災用ヘルメットは持ち歩くには向かない為、災害時に身近に無いために用を成さない事が多く又、有毒ガス等の防毒用品等はビニール袋に空気をすくってそれをかぶって非難するといった物が主流であり又、防炎用には、シート等が有るが動き難く、避難の祭に妨害になることも有る。
【発明が解決しようとする課題】
【０００３】  従来の防災用ヘルメットは携帯には向かない為、手元に無い時の災害には役に立たなく、状況によってはヘルメット事態が目先を覆い状況確認を妨害する恐れがあり又、有毒ガスや炎等からの保護機能に有力な一般用防災用品に乏しい。
【門題を解決するための手段】
【０００４】  上記の問題点を解決するため本発明は、ヘルメットを深かぶり型にして素材は透明で強度の有る（例えばポリカーボネイトのような）ものを使用し、折りたたみ式にして携帯し易くし、ヘルメットの頭頂部からウエストまで薄型の防炎用布を装備し、首元のフィットベルトで有毒ガスの侵入を防止して更に小型防毒マスクを装備し又、手首・ウエストにワンタッチベルトを装着して非難時に邪魔にならない様配慮した。以上の装備により落下物から頭部を保護し、状況確認と酸素補給を確実にしながら有毒ガス吸引・衣服への引火事故を防止し、更に防寒機能に配慮した防災用具を一体化した物を常時携帯可能にして災害時にはこれらを瞬時に機能させる様にした。
【発明の実際の形態】
【０００５】  本発明は、深かぶり型防災ヘルメットを身辺装備し易いように携帯化する為に折りたたみ式にし、ヘルメット内部に装備した頭部保護クッションをワンタッチで広げる機能によりその圧力でヘルメットを装着可能な状態にし、ヘルメットは装着時でも身辺の状況を確認し易い透明な素材にし、有毒ガス吸引事故を防止する防炎マスクと防毒マスクを装置し、衣類引火を防ぐ防炎用スーツをウエストまで装備した防災スーツ一体ヘルメット携帯用である。
【実施例】
【０００６】  実施例について図面を参照して説明すると〔図１〕において示す実施例はヘルメット（１）の素材は強度の有る透明素材（例えばポリカーボネイト）で、ワンタッチで膨張する機能の有る頭部保護クッション（２）と、装着ベルト（３）で頭部に固定し、頭部から肩までを覆う防炎マスク（５）と着脱可能な防炎スーツ（７）に、ワンタッチベルト（８）を装着する事で火災時の衣服への引火を防止し救出までの防寒スーツになり、首もとのフィットベルト（６）でヘルメット内への有毒ガスや煙の進入を防止し、防毒マスク（４）で有毒ガスの吸引事故を防止する。【０００７】  〔図２〕は、本体は携帯用の為（１）のヘルメット部分を数枚に分割し折りたたみ、ヘルメットの内側窪みに（２）の保護クッションをはじめ（３）の装着ベルト（４）の防毒マスク（５）の防炎マスク（６）のフィットベルト（７）の防炎スーツ（８）のワンタッチベルト等全てを収納する。【０００８】  〔図３〕は（２）の保護クッションにエヤーが入り、その広がる圧力で（１）のヘルメットが広がり、（５）の防炎マスク、（７）の防炎スーツが出て、（４）の防毒マスクや、（３）の装着ベルト、（６）のフィットベルト、（８）のワンタッチベルトが装着可能な状態に成る。
【発明の効果】
【０００９】  本発明は、以上説明した様な形態で実施され、以下に記載されるような効果を奏する。
【００１０】  災害時に考えられる状況の中で、ヘルメットが対応できる防災の枠を可能な限り広げる為に、ヘルメットは深型ながら折りたたみ式にする事で小型化し、常に携帯する事を可能にした。
【００１１】  災害時の精神的パニックを考慮して、ヘルメット型に形成するのには、頭部保護クッション部をワンタッチで膨張させ、その圧力でヘルメットを広げて形成する様にした。
【００１２】  安全性を高める為に、ヘルメットの死角を無し周囲の状況を適切に把握する為に、透明で強度の有る（例えばポリカーボネイト）素材を使用する。
【００１３】  ヘルメットの繋ぎ目は強度を最優先に考慮する（例えば組み込み式）為、繋ぎ目からの有毒ガス等の進入を防止する為、ヘルメットと頭部保護クッションの間に防炎マスクを装備した。
【００１４】  防炎マスクは、装着者の首の部分で煙やガスの侵入を防止する為に調節可能なフィットベルトを装着し、更に肩の所で着脱可能な防炎スーツをウエストまで延長させ、袖口とウエスト部分を止める事で非難時の安全性に配慮し、衣服への引火を防止し、救出までの防寒スーツにもなる様にした。
【図面の簡単な説明】
【図１】携帯型防災ヘルメットを装着した全体横図である。
【図２】ヘルメット部分（１）と付属する頭部保護クッション（２）、小型防毒マスク（４）、防炎マスク（５）着脱式防炎スーツ（７）、装着ベルト（３）、フィットベルト（６）、ワンタッチベルト（８）を携帯型に収納した断面図である。
【図３】［図２］を広げた全体図である。
【符号の説明】
１      ヘルメット
２      頭部保護クッション
３      装着ベルト
４      防毒マスク
５      防炎マスク
６      フィットベルト
７      防炎スーツ
８      ワンタッチベルト
【図１】
2005299064.tif 000003
【図２】
2005299064.tif 000004
【図３】
2005299064.tif 000005
(57)【要約】【課題】  往来のカバーは、膝の上に被せるようにしていた。【解決手段】  プロテクターは、履く式タイプなので、足をどのような向きに動かしても、風がどの向きで吹いても安心である。【選択図】なし【特許請求の範囲】
【請求項１】
使用者の下着部分を覆うための取り付けカバー
【請求項２】
請求項１のプロテクターにおいて，上記カバーの上下左右部分に，両面テープを取り付けることにより、さまざまな体型の人でも、装着可能。なお，両側にゴムを入れる事によりカバーと脚の隙間を無くす。
【請求項３】
請求項１のプロテクターにおいて，上記カバー上下外部に、デザインカバーを着ける事により，装着した際に，見栄えを良くするカバー。
【発明の詳細な説明】
【技術分野】
【０００１】  本発明は，プロテクターに関し，詳しくは、スカートを着用した女性が自転車やスクータに乗車した際に，下着を露出させないようにするためのカバーに関するものである。
【背景技術】
【０００２】  衣類の上から直接置くように被せている。
【発明が解決しようとする課題】
【０００３】  プロテクターは，履く式タイプなので，足をどのような向きに動かしても，風がどの向きで吹いても安心である。
本発明は以上の問題点をクリアーしたものであり、その目的とするところは、着脱操作の容易なプロテクターを提供することである。
【課題を解決するための手段】
【０００４】  上記目的を達成するために，請求項１の発明は，使用者の下着部分を覆うためのものである。
【発明を実施するための最良の形態】
【０００５】  以下，本発明を適用したプロテクターの実施形態について説明する。図１に，使用者が本実施形態に係るプロテクター本体を装着した状態を示す。
このプロテクターは，図２に示すように、２のマジックテープで支えられている。
３のデザインカバーを付ける事により，見栄えを良くし，４のゴムにより、カバーと脚の隙間を無くし、下着を見えにくくする効果を強くするものである。
【発明の効果】
【０００６】  本発明によれば，プロテクターの着脱を容易に行う事ができる。
【図面の簡単な説明】
【０００７】
【図１】  装着まえの図
【図２】  装着後の図
【符号の説明】
１  プロテクター本体    ２  マジックテープ    ３  デザインカバー    ４  ゴム
【図１】
2005299062.tif 000002
【図２】
2005299062.tif 000003
(57)【要約】      （修正有）【課題】必要にして十分な吸気ガス量を達成すると共に排気ガスの通気抵抗を緩和して、燃焼効率を高めると共に回転抵抗を軽減して総体的に出力効率を向上させるランニングコスト改善型ロータリーエンジンを提供する。【解決手段】吸気・排気ポートを共にペリフェラルにして通気抵抗を出来るだけ少なくするようにし、なお足りざる所をターボチャージャーとスーパーインヘイラー（過吸機）とを設けて補足するようにし、回転燃焼室における圧縮燃焼気体の着火を適正にして１／５０秒と言うような瞬間の燃焼伝播をより完全にする為に移動して来る燃え残り燃焼気体に待っていてもう一度点火するようにリーディグ側一カ所二度点火を行なうようにし、上記のターボチャージャーは不完全燃焼物焼却型にして得手して燃焼室に侵入してくるエンジンオイルの燃え残りを焼却するようにし、ハウジングの成形は鋳造だけで以て滑沢なローター摺動面を出すようにした。【選択図】なし【特許請求の範囲】
【請求項１】
ロータリーエンジンにおいて、「ローターが吸気・排気ポートを直接開閉してガス交換を行なう」（ロータリーエンジン、山本健一編、日刊工業新聞社、４１頁）為、吸気・排気ポートのオーバーラップ期間が生じさるを得ないものとされていたが、最近のレネシスエンジン（ＲＥＮＥＳＩＳ  ｅｎｇｉｎｅ）においてはそのオーバーラップ期間を無くすることが出来た（自動車工学、２００３年７月号、４７頁）と言うが、その為にローターハウジングからサイドハウジングに移した排気ポートが従来のペリフェラル式より小さくなると共にローターによって開閉するそのポートの面積が従来の瞬間全開放・瞬間全閉鎖的な平均全開型であったものが逓全開・逓全閉の一時全開型となり、排気の通過速度は急になり通気抵抗が増大することになって、回転抵抗が高まると共に排気の完璧性が低下し却って排気ガスの残量を増大させ吸気行程に排気ガスを残し送ることになり、新気ガスに排気ガスが混じることになり、狙った僅かなりとも新気ガスの吸気量を増やして燃焼効率の改善を図る目的は却って改悪の結果を招くことになっているので、私は、排気ポートは矢張りペリフェラル式が宜しいと考えるし、吸気ポートもＷ．Ｄ．ベンジンガーの説に従ってペリフェラル式を選ぶことにして（ロータリエンジン、Ｗ．Ｄ．ベンジンガー著、北川健一訳、工学図書、８５頁）、その最適値は「入門ロータリー機関設計法」（Ｒ．Ｆ．Ａｎｓｄａｌｅ著、大道寺達訳）の「ポートの設定・設置」法に従ったものにして、なお足りざるところは、吸気においてはターボチャージャーを設けて加圧するのみならず排気においてもスーパーインヘイラー（過吸機）を設けて加圧して、必要にして十分な吸気ガス量を達成すると共に排気ガスの通気抵抗を緩和して、燃焼効率を高めると共に回転抵抗を軽減して総体的に出力効率を向上させ、ロータリーエンジンのレシプロエンジンに対する劣勢を克服するようにした、ランニングコスト改善型ロータリーエンジン。
【請求項２】
ロータリーエンジンにおいて、現在の点火方式は２点火プラグ配置であるが、これを廃し、リーディング側点火プラグ（ロータリーエンジン、山本健一編、日刊工業新聞社、１１９頁の図８．３参照）のみとし、これをローターの１圧縮における上死点付近とそして少し遅れてローターのトレーリング側がその１配置点火プラグの位置に移動する適当な時点との２度に渡って点火するようにして、完全燃焼度を向上させるようにした（ロータリエンジン、Ｗ．Ｄ．ベンジンガー著、北川健一訳、工学図書、６３頁の６３図が理解を早める）、１プラグ２度点火方式ロータリーエンジン。
【請求項３】
「請求項１」におけるロータリーエンジンと「請求項２」におけるロータリーエンジンのそれぞれの技術思想を合体させて、ペリフェラル（周り側面）排気・吸気ポート式ターボチャージャー・スーパーインヘイラー（ＳｕｐｅｒＩｎｈａｌｅｒ＝過吸機）付および２度点火方式１プラグ付とすることによって、十分な排気と吸気を可能とし加えて回転燃焼室に因る点火の困難性を克服して、完全燃焼性を達成して、現在のロータリーエンジンの炭化水素や一酸化炭素の多排出性を解決に近づけうるようにした、完全燃焼型ロータリーエンジン。
【請求項４】
「請求項１」や「請求項３」におけるロータリーエンジンにおけるターボチャージャーは過般特許出願している「エンジン排出ガス浄化装置」（特願２００２−３２０５２９）おける「請求項１」における「排気ガス浄化化ターボチャージャー」を用いて、尚一層の大気への排気ガスの完全燃焼排気性を向上しうるようにした、亦ロータリーエンジン特有の燃焼気体への侵入シールド漏れエンジンオイルを燃焼し尽くして大気に排気しうるようにした、排気ガス完全浄化化型ロータリーエンジン。
なお、２サイクルレシプロエンジンにもエンジンオイルの燃焼気体への混入の宿命があるので、これにも「排気ガス浄化化ターボチャージャー」を用いたい。
【請求項５】
「請求項１」から「請求項４」までにおけるロータリーエンジンにおいて、現在ローターハウジングやサイドハウジングはアルミニウム合金か鉄で以て鋳造されているらしいが、鉄は高断熱性のステンレス鋼に代えて軽薄小に設計しうるようにし、亦融点の点から可能ならばアルミ合金製においても、その完成鋳造工程において、出来ることならそれらの内壁面をボーリングやホーニング仕上げしなくて済むように、鋳型におけるそれら内壁面に当る部分を滑沢な耐熱ガラス面などとして、黄銅鋳物の１．５％余りの「冷め縮み」を応用すれば型抜きも可能なので、黄銅の適当な厚さの滑沢な内壁面を形成すべくそこに当る部分に黄銅を鋳入して鋳造仕上げしうるようにした、省削研仕上げ型ロータリーエンジン。
【発明の詳細な説明】
(57)【要約】      （修正有）【課題】従来の汲み上げポンプは高所に汲み上げる場合、それ相当の力を必要とした。従来より、はるかに少ない力で汲み上げることが出来る汲上ポンプを提供する。【解決手段】外パイプと中パイプを組み合わせ、それぞれに仕切り弁をつけて中パイプを上下させることにより、液体を汲み上げる。中パイプを引き上げると、液は上の方向に動き上部の流出口より外に出る。そして外部の液は、吸入室に入る。（右の重しと加えた力で中パイプを上昇させる。）【選択図】図４
2005299622.tif 000002
【特許請求の範囲】
外パイプと中パイプを組合せ、それぞれに仕切と穴と弁をつけ、吸入室と汲上室をつくり、液体の浮力と引力と汲上げた液体の力と加えた力を用いて汲上げする方法
【発明の詳細な説明】
【発明の詳細な説明】
【０００１】（発明の属する技術分野）  この発明は、外パイプと中パイプを組合せ、それぞれに仕切と弁をつけて中パイプを上下させることにより、液体を汲上げるものである。
【０００２】（従来の技術）  ありません
【０００３】（発明が解決しようとする課題）  従来の汲上ポンプは高所に汲上げる場合、それ相当の力を必要としたが、この発明ポンプは引力と浮力と汲上げた液体の力を活用するので、はるかに少い力で汲上げる事のできるものである。
【０００４】（発明の効果）（図面の１図、２図、３図、４図）である。
【図面の簡単な説明】
【図１】別紙４図の中パイプを下に降ろすと、外パイプ弁がしまり、そしてその後中パイプ弁が開き下降します。その時液は矢印の方向に動きます。そして中パイプの汲仕切は外弁が閉まっているので浮遊状態になっています。（右の重しと加えた力を持ち上げると上昇し左の中パイプは下降します）
【図２】別紙１図の中パイプを下に降ろすと、外パイプの弁が閉まり中パイプ弁が開いているので、吸入室の液が上部の汲上室に入ります。その時外パイプの弁が閉まっているので、中パイプは浮遊状態となっています。（右の重しと加えた力を持ち上げると左の中パイプは下降します）
【図３】別紙２図の中パイプを引き上げはじめると、まず中パイプ弁が閉まりその後外パイプ弁が開きます。そして上昇しますと液は矢印の方向に動きます。（右の重しと加えた力で中パイプを上昇させます）
【図４】別紙３図の中パイプを引き上げると、液は矢印の方向に動き上部の流出口より外に出ます。そして外部の液は、吸入室に入ります。（右の重しと加えた力で中パイプを上昇させます）
【図１】
2005299622.tif 000003
【図２】
2005299622.tif 000004
【図３】
2005299622.tif 000005
【図４】
2005299622.tif 000006
(57)【要約】【課題】回転する羽を自在羽にする事。【解決手段】羽が開く時、閉じる時の工夫が必要。【選択図】図１
2005299625.tif 000002
【特許請求の範囲】
【請求項１】
自在ファン付発電機。
【発明の詳細な説明】
【技術分野】
【０００１】空気抵抗で回転ファンの力を利用する発電機。
【背景技術】
【０００２】風車等の風力発電が有る。
【発明の開示】
【発明が解決しようとする課題】
【０００３】走行する自動車等の空気抵抗でファンを回転させ発電する。
【課題を解決するための手段】
【０００４】空気の抵抗を大きく利用する為に自在回転羽をスムーズに回転させる事。
【発明の効果】
【０００５】空気抵抗発電の為無害。
【発明を実施するための最良の形態】
【０００６】前方空気取り入り口が有、自在羽付発電機を回す、その後ダクト等で導き後方２号自在羽付発電機に送る後、後部空気放出口より放出。
【実施例】
【０００７】無し。
【産業上の利用可能性】
【０００８】発電式モーターカー等。
【図面の簡単な説明】
【０００９】
【図１】本発明の斜視図である。
【符号の説明】
【００１０】１）は空気取り入れ口。
２）は回転式発電機。
３）は導入ダクト。
４）は空気放出口。
【図１】
2005299625.tif 000003
(57)【要約】【課題】  東西南北のどの方向からの風にも対応し、さらに風集性のある風通路を用いることによって、風の流入効率が向上し増速することで風車の回転を増すことが可能な、風増速装置及びこれを用いた風力発電装置に関するものである。【解決手段】風通路入口から風通路出口に向かって上下左右の壁が縮小する風通路が、風を集める効果を及ぼし、増速させると共に、風車羽根に風が的確に当たるように流入案内する風増速装置を設ける。筒部材の側面に間隔をもって開けた複数の穴に、あらゆる方角の風を流入案内する風通路を取り付けると共に、風を逃す風排気孔を上部に設置した風増速装置を設ける。本発明は、以上の構成からなる風増速装置と垂直軸型風力発電装置を用いた発電装置である。【選択図】    図１
2005299621.tif 000002
【特許請求の範囲】
【請求項１】
風通路入口から風通路出口に向かって上下左右の壁が縮小する風通路が、風を集める効果を及ぼし、増速させると共に、風車羽根に風が的確に当たるように流入案内する風増速装置。
【請求項２】
筒部材の側面に間隔をもって開けた複数の穴に、あらゆる方角の風を流入案内する風通路を取り付けると共に、風を逃す風排気孔を上部に設けた風増速装置。
【請求項３】
請求項１と請求項２に記載の風増速装置を備え、前記の中心位置に発電用の垂直軸型風車を配置した風力発電装置。
【発明の詳細な説明】
【発明の詳細な説明】
【技術分野】
【０００１】  この発明は、東西南北のどの方向からの風にも対応し、さらに風集性のある風通路を用いることによって、風の流入効率が向上し増速することで風車の回転を増すことが可能な、風増速装置及びこれを用いた風力発電装置に関するものである。
【背景技術】
【０００２】  従来、特開２００３−３２８９２２号の公報に示されるように、一定の風に対応し、風の流れを増速する風増装置を用いて発電する風力発電装置というものがあった。
【発明が解決しようとする課題】
【０００３】  それには、次のような問題点があった。
（イ）決まった方向の風の流入にしか対応できず、風の利用効率が低かった。
（ロ）風の変化に対応し、風の利用効率を高めようとすれば装置が大型化した。
本発明は、これらの問題点を解決するために成されたものである。
【課題を解決するための手段】
【０００４】  風通路入口から風通路出口に向かって上下左右の壁が縮小する風通路が、風を集める効果を及ぼし、増速させると共に、風車羽根に風が的確に当たるように流入案内する風増速装置を設ける。筒部材の側面に間隔をもって開けた複数の穴に、あらゆる方角の風を流入案内する風通路を取り付けると共に、風を逃す風排気孔を上部に設置した風増速装置を設ける。本発明は、以上の構成からなる風増速装置と垂直軸型風力発電装置を用いた発電装置である。
【発明を実施するための最良の形態】
【０００５】  以下、本発明の実施の形態について説明する。
（イ）風の流れを円滑に風車羽根５ａに当てるための筒部材１に、かつ東西南北のどの方向からでも風を送り込めるように、筒部材１の側壁に等間隔を持たせ複数の適当な大きさの孔１ａを設ける。
（ロ）風を集め、流れを強くするため、風通路入口から風通路出口に向かって上面２ａと下面２ｂを縮小すると共に、正面から来る風を時計回りに変えて風車羽根５ａに当たりやすくするため、風通路入口から風通路出口に向かって右側面２ｃと左側面２ｄが縮小し、さらに左側面２ｄより右側面２ｃの縮小が大きく、風通路出口は風通路入口より左寄りになる風通路２を設ける。
（ハ）風通路２で集め増速した風を風車羽根５ａまで導くために、風通路２の風通路出口の開口部を筒部材の孔１ａに周設するように設ける。
（ニ）風通路２で集め増速した風を、風通路出口や風車回転中に逃がし難くするため、円盤部材３の上壁３ａと下壁３ｂを周設した風通路２と筒部材１に覆設するように設ける。
（ホ）筒部材１の中の弱くなった風を排出するために、円盤上壁３ａの中心付近に複数の適当な大きさの風排気孔４を設ける。
（ヘ）風増速装置６の中の中心部に、等間隔に複数の羽根を備えた発電用の垂直軸型風車５を設ける。
本発明は、以上のような構造でこれを使用するときは、本発明を建築物に設置する構造で、風の力で発電を起こし、発電した電力を建築物内で利用し、また発電した電力を需要のある地域社会に提供するものである。
【発明の効果】
【０００６】  建物の屋上や住宅の尾根に取り付け可能である。さらに、道路や橋の街路灯、公園や一般家庭の庭の屋外灯にも取り付けが可能である。
また、垂直方向に複数重ねることで発電量を増すことができる。さらに、太陽光発電装置を重ねることもできる。
また、風車本体を風増速装置で覆うことで人や動物が誤って直接風車羽根に触れることがなく安全である。
また、垂直軸型風車であるため重心が低く景観の印象が目立ち難いという利点があるため、ウインドファームとしても、道路や近隣民家に対する圧迫感等を回避することができ、配置が可能である。
また、電力供給を目的とした事業用の風力発電装置として地域社会に寄与することもできる。
【図面の簡単な説明】
【図１】本発明の斜視図である。
【図２】本発明の水平断面の風の流れを示した図である。
【図３】本発明の分解斜視図である。
【図４】本発明を建築物に設置した斜視図である。
【図５】本発明を垂直方向に重ね太陽光発電装置と一体化した図である。
【符号の説明】
（１）筒部材
（２）風通路
（３）円盤部材
（４）風排気孔
（５）垂直軸型風車
（６）風増速装置
【図１】
2005299621.tif 000003
【図２】
2005299621.tif 000004
【図３】
2005299621.tif 000005
【図４】
2005299621.tif 000006
【図５】
2005299621.tif 000007
(57)【要約】【課題】いたずらによるボルト及びナットの取り外しを防止するために、ボルト、ナットの外観形成に取り外し防止機能を備える。【解決手段】ボルト、ナットとも曲面で形成されており、取り付け後は一体の半楕球状となる。その上締め付け溝が緩め方向に力が加えられないよう形成されている。【選択図】図５
2005299912.tif 000002
【特許請求の範囲】
【請求項１】
上部ナット、下部ナットの外周面が軸先端方向に曲面で形成されたナット。
（下部ナットの上面は平面である。）
【請求項２】
外周側締め付け部に斜溝を形成したナット。
【請求項３】
外周側締め付け部に斜溝を形成したボルト。
【請求項４】
外周側締め付け部に縦溝を形成し、その緩め方向側に曲面を形成したナット。
【請求項５】
上記ボルト及びナットを締め付ける専用工具。
【発明の詳細な説明】
【技術分野】
【０００１】本発明は、いたずらによりボルト及びナットが緩められる事を防止するものである。
【背景技術】
【０００２】従来のボルトやナットは、スパナやパイプレンチ等で取り外す事が可能であった。
【発明が解決しようとする課題】
【０００３】工具による取り外しを防止するためには溶接等で固着していたが、これは非常に手間のかかる事であり作業コストも増大していた。
【課題を解決するための手段】
【０００４】本発明は、上記課題の解決手段として、ボルト及びナットの外周面を半楕球状とし、外周側締め付け部に斜溝又は縦溝ではあるが緩め方向側に曲面を形成する事により、市販工具はもとより締め付け専用工具を使用しても取り外す事をできなくする。
又、斜溝の緩め方向側にも曲面を形成するとより一層効果がある。
【発明の効果】
【０００５】本発明は以上のような外観上の特徴を有し、いたずらによる取り外しを防止する。
【発明を実施するための最良の形態】
【０００６】以下、本発明の実施の形態について添付図面で説明する。
図５は、使用状態を示す透視図である。
図が示すように上部ナットと下部ナットが一体の半楕球状となり緩めようとする力が加えられなくなる。
【図面の簡単な説明】
【０００７】
【図１】本発明の上部ナットの正面図である。
【図２】本発明の下部ナットの正面図である。
【図３】本発明のナットの底面図である。
【図４】本発明の曲面付き縦溝ナットの正面図である。
【図５】本発明の実施例を示す透視図である。
【図６】本発明のボルトの正面図である。
【符号の説明】
１  上部ナット
２  下部ナット
３  ボルト
４  斜溝
５  底面
６  曲面付き縦溝ナット
７  曲面付き縦溝
８  締め付け部材
【図１】
2005299912.tif 000003
【図２】
2005299912.tif 000004
【図３】
2005299912.tif 000005
【図４】
2005299912.tif 000006
【図５】
2005299912.tif 000007
【図６】
2005299912.tif 000008